(57)【特許請求の範囲】
【請求項１】
回転軸を中心に回転するロータと、
前記回転軸を中心とした円環状のコアバック部、および、前記コアバック部の内周面から径方向に突出した複数のティースを有するステータコアと、
各ティースに導電線が巻き回されて形成された複数のコイルと、
前記ロータの回転位置を検出するための複数のセンサと、
各コイルに駆動電流を供給するためのバスバーユニットと、
を備え、
前記バスバーユニットは、
前記導電線の端部と接続する導電線接続部を含む複数のコイル接続バスバーと、
前記センサに対して電気信号を入出力するための複数のセンサ接続バスバーと、
前記複数のコイル接続バスバーと前記複数のセンサ接続バスバーとを支持し、絶縁性材料で形成されたバスバーホルダと、
を含み、
前記コイル接続バスバーは円弧状の基部と、前記コイル接続バスバーの円弧状の基部から径方向外側に延設された端子部と、を有し、
前記センサ接続バスバーは円弧状の基部と、前記センサ接続バスバーの円弧状の基部から径方向外側に延設された端子部と、を有し、
前記バスバーホルダには、前記ロータと一体に回転するシャフトを回転自在に保持するベアリングを収納するベアリングホルダが形成され、
前記複数のコイル接続バスバーの円弧状の基部、または、前記複数のセンサ接続バスバーの円弧状の基部が前記ベアリングホルダと径方向に重なっていることを特徴
とするモータ。
【請求項２】
請求項１に記載のモータにおいて、
前記バスバーホルダは、軸方向に関して前記ステータコアの一端側に配置され、
前記ベアリングホルダは、前記バスバーホルダが前記ステータコアに対向する面と反対側の面に形成されていることを特徴とするモータ。
【請求項３】
請求項１または請求項２に記載のモータにおいて、
前記複数のコイル接続バスバーと前記バスバーホルダとが一体成形されており、
各コイル接続バスバーは、前記複数のコイル接続バスバーと前記バスバーホルダとが一体成形される際に、各コイル接続バスバーの位置決めに用いられる治具が当接する第１の位置決め部を含み、
前記バスバーホルダには、前記第１の位置決め部に対応する位置に軸方向に貫通する第１の貫通孔が形成されており、
前記第１の位置決め部が、前記第１の貫通孔によって前記軸方向の両側に露出していることを特徴とするモータ。
【請求項４】
請求項３に記載のモータにおいて、
前記バスバーホルダには、前記バスバーホルダを前記軸方向に貫通し、前記導電線接続部を前記軸方向の両側に露出させるための第１の露出孔が、前記導電線接続部に対応する位置に形成されていることを特徴とするモータ。
【請求項５】
請求項３に記載のモータにおいて、
前記導電線接続部は、前記第１の貫通孔によって前記軸方向の両側に露出していることを特徴とするモータ。
【請求項６】
請求項１に記載のモータにおいて、
各センサホルダに収納されるセンサは、前記ロータと一体に回転するセンサマグネットに対して、間隙を介して径方向外側に対向していることを特徴とするモータ。
【請求項７】
請求項１または請求項６に記載のモータにおいて、
前記複数のセンサ接続バスバーのうち少なくとも一つのセンサ接続バスバーと前記バスバーホルダとが一体成形されており、
前記少なくとも一つのセンサ接続バスバーは、前記少なくとも一つのセンサ接続バスバーと前記バスバーホルダとが一体成形される際に、前記少なくとも一つのセンサ接続バスバーの位置決めに用いられる治具が当接する第２の位置決め部を含み、
前記バスバーホルダには、前記第２の位置決め部に対応する位置に前記軸方向に貫通する第２の貫通孔が形成されており、
前記第２の位置決め部が、前記第２の貫通孔によって前記軸方向の両側に露出していることを特徴とするモータ。
【請求項８】
請求項１ないし請求項７のいずれかに記載のモータにおいて、
前記複数のセンサ接続バスバーのうち少なくとも一つのセンサ接続バスバーは、各センサの端子と直接接続するセンサ接続部を含み、
前記バスバーホルダには、前記バスバーホルダを前記軸方向に貫通し、前記センサ接続部を前記軸方向の両側に露出させるための第２の露出孔が、前記センサ接続部に対応する位置に形成されていることを特徴とするモータ。
【請求項９】
請求項１ないし請求項７のいずれかに記載のモータにおいて、
前記複数のセンサ接続バスバーのうち少なくとも一つのセンサ接続バスバーは、各センサの端子と直接接続するセンサ接続部を含み、
前記バスバーホルダには、前記センサ接続部を前記軸方向の一方に露出させるための開口孔が、前記センサ接続部に対応する位置に形成されていることを特徴とするモータ。
【請求項１０】
請求項１ないし請求項９のいずれかに記載のモータにおいて、
前記複数のセンサ接続バスバーのうち少なくとも二つのセンサ接続バスバーは、前記軸方向に互いに重なる位置に配置されていることを特徴とするモータ。
【請求項１１】
請求項１ないし請求項９のいずれかに記載のモータにおいて、
前記複数のコイル接続バスバーのうち少なくとも一つのコイル接続バスバーと、前記複数のセンサ接続バスバーのうち少なくとも一つのセンサ接続バスバーとは、前記軸方向に互いに重なる位置に配置されていることを特徴とするモータ。
【請求項１２】
請求項１ないし請求項１１のいずれかに記載のモータにおいて、
前記バスバーユニットは、さらに、
前記複数のセンサとは別の電子部品、
を含み、
前記別の電子部品は、前記バスバーホルダが前記ステータコアと対向する側と反対側に配置されていることを特徴とするモータ。
【請求項１３】
請求項７に記載のモータにおいて、
前記バスバーユニットは、さらに、
前記バスバーホルダの前記径方向の外側に前記バスバーホルダと一体に形成され、前記導電線接続部と電気的に接続する第１のコネクタピンと、各センサの端子と電気的に接続する第２のコネクタピンとを含むコネクタ部、
を含み、
前記第１のコネクタピンは、前記複数のコイル接続バスバーのうちいずれか一つのコイル接続バスバーの端部であり、
前記第２のコネクタピンは、前記バスバーホルダと一体成形されるセンサ接続バスバーの端部であることを特徴とするモータ。
【請求項１４】
請求項１ないし請求項１３のいずれかに記載のモータであって、
車両のトランスミッション、または車両のクラッチの駆動に用いられるモータであることを特徴とするモータ。
【請求項１５】
回転軸を中心に回転するロータと、
前記回転軸を中心とした円環状のコアバック部、および、前記コアバック部の内周面から径方向に突出した複数のティースを有するステータコアと、
各ティースに導電線が巻き回されて形成された複数のコイルと、
各コイルに駆動電流を供給するためのバスバーユニットと、
を有し、
前記バスバーユニットは、
前記導電線の端部と接続する導電線接続部を含む複数のコイル接続バスバーと、
前記複数のコイル接続バスバーを支持し、絶縁性材料で形成されたバスバーホルダと、を含み、
前記バスバーホルダは、
バスバーホルダ本体部と、
前記バスバーホルダ本体部から径方向の外側に設けられたコネクタ部と、
前記ロータと一体に回転するシャフトを回転自在に保持するベアリングを収納するベアリングホルダと、
を備え、
前記ベアリングホルダは、前記コネクタ部の少なくとも一部と径方向に重なっていることを特徴とするモータ。
【発明の詳細な説明】
【技術分野】
【０００１】
本発明は、車両に搭載されるトランスミッションのギアセレクト、またはクラッチの駆動に用いられるモータに関する。
【背景技術】
【０００２】
ブラシレスモータのステータは、コアバック部と、コアバック部から径方向に突設された複数のティースとを備える。複数のティースにそれぞれ導電線が巻き回されることによって複数のコイルが形成されている。ブラシレスモータは、複数のコイルに駆動電流を供給することによってロータを回転駆動させる。
【０００３】
また、ブラシレスモータのハウジング内には、電源装置から供給された電流を各コイルに供給するためのバスバーユニットが装着されている。バスバーユニットは、複数のバスバーを有している。各バスバーは、電源装置からの配線と、各コイルを形成する導電線の端部とに接続されることによって、各コイルに駆動電流を供給している。
【０００４】
一方、ブラシレスモータの小型化を実現するために、バスバーを用いずに各コイルに駆動電流を供給するブラシレスモータが特許文献１に開示されている。具体的には、ステータを覆うインシュレータが、巻線のターミナルとなる接続金具を支持している。また、モータ内部とモータ外部との電気的導通を図る外部引出ピンが、ベアリングホルダによって支持されている。巻線および外部引出ピンは、溶接によって接続金具に接続される。
【０００５】
【特許文献１】特開２００７−６５９２号公報
【発明の開示】
【発明が解決しようとする課題】
【０００６】
上述したように、特許文献１に開示されているブラシレスモータは、バスバーを介さずに駆動電流を各コイルに供給する構成とすることによって、小型化を実現している。
【０００７】
しかしながら、巻線と外部引出ピンとの間に接続金具が介在するため、ブラシレスモータの組み立て時における部品点数が増加する。また、ブラシレスモータの組み立て時に、接続金具と巻線との溶接、および接続金具と外部引出ピンとの溶接を行う必要がある。このように、部品点数の増加とともに溶接個所も増加するため、ブラシレスモータの組み立て作業が煩雑になるという問題があった。
【０００８】
そこで、本発明は前記問題点に鑑み、小型化を実現するとともに、組み立てが容易なモータを提供することを目的とする。
【課題を解決するための手段】
【０００９】
上記課題を解決するため、請求項１記載の発明は、回転軸を中心に回転するロータと、前記回転軸を中心とした円環状のコアバック部、および、前記コアバック部の内周面から径方向に突出した複数のティースを有するステータコアと、各ティースに導電線が巻き回されて形成された複数のコイルと、前記ロータの回転位置を検出するための複数のセンサと、各コイルに駆動電流を供給するためのバスバーユニットと、を備え、前記バスバーユニットは、前記導電線の端部と接続する導電線接続部を含む複数のコイル接続バスバーと、前記センサに対して電気信号を入出力するための複数のセンサ接続バスバーと、前記複数のコイル接続バスバーと前記複数のセンサ接続バスバーとを支持し、絶縁性材料で形成されたバスバーホルダと、を含み、前記コイル接続バスバーは円弧状の基部と、前記コイル接続バスバーの円弧状の基部から径方向外側に延設された端子部と、を有し、前記センサ接続バスバーは円弧状の基部と、前記センサ接続バスバーの円弧状の基部から径方向外側に延設された端子部と、を有し、前記バスバーホルダには、前記ロータと一体に回転するシャフトを回転自在に保持するベアリングを収納するベアリングホルダが形成され、前記複数のコイル接続バスバーの円弧状の基部、または、前記複数のセンサ接続バスバーの円弧状の基部が前記ベアリングホルダと径方向に重なっていることを特徴とするモータ。
【００１０】
請求項２記載の発明は、請求項１に記載のモータにおいて、前記バスバーホルダは、軸方向に関して前記ステータコアの一端側に配置され、前記ベアリングホルダは、前記バスバーホルダが前記ステータコアに対向する面と反対側の面に形成されていることを特徴とする。
【００１１】
請求項３記載の発明は、請求項１または請求項２に記載のモータにおいて、前記複数のコイル接続バスバーと前記バスバーホルダとが一体成形されており、各コイル接続バスバーは、前記複数のコイル接続バスバーと前記バスバーホルダとが一体成形される際に、各コイル接続バスバーの位置決めに用いられる治具が当接する第１の位置決め部を含み、前記バスバーホルダには、前記第１の位置決め部に対応する位置に軸方向に貫通する第１の貫通孔が形成されており、前記第１の位置決め部が、前記第１の貫通孔によって前記軸方向の両側に露出していることを特徴とする。
【００１２】
請求項４記載の発明は、請求項３に記載のモータにおいて、前記バスバーホルダには、前記バスバーホルダを前記軸方向に貫通し、前記導電線接続部を前記軸方向の両側に露出させるための第１の露出孔が、前記導電線接続部に対応する位置に形成されていることを特徴とする。
【００１３】
請求項５記載の発明は、請求項３に記載のモータにおいて、前記導電線接続部は、前記第１の貫通孔によって前記軸方向の両側に露出していることを特徴とする。
【００１４】
請求項６記載の発明は、請求項１ないし請求項５のいずれかに記載のモータにおいて、前記バスバーホルダには、前記ロータの回転位置を検出するための複数のセンサをそれぞれ収納する複数のセンサ収納部が形成されており、前記バスバーユニットは、さらに、各センサホルダに収納されたセンサに対して電気信号を入出力するための複数のセンサ接続バスバー、を含むことを特徴とする。
【００１５】
請求項６記載の発明は、請求項６に記載のモータにおいて、各センサホルダに収納されるセンサは、前記ロータと一体に回転するセンサマグネットに対して、間隙を介して径方向外側に対向していることを特徴とする。
【００１６】
請求項７記載の発明は、請求項６または請求項６に記載のモータにおいて、前記複数のセンサ接続バスバーのうち少なくとも一つのセンサ接続バスバーと前記バスバーホルダとが一体成形されており、前記少なくとも一つのセンサ接続バスバーは、前記少なくとも一つのセンサ接続バスバーと前記バスバーホルダとが一体成形される際に、前記少なくとも一つのセンサ接続バスバーの位置決めに用いられる治具が当接する第２の位置決め部を含み、前記バスバーホルダには、前記第２の位置決め部に対応する位置に前記軸方向に貫通する第２の貫通孔が形成されており、前記第２の位置決め部が、前記第２の貫通孔によって前記軸方向の両側に露出していることを特徴とするモータ。
【００１７】
請求項８記載の発明は、請求項６ないし請求項７のいずれかに記載のモータにおいて、前記複数のセンサ接続バスバーのうち少なくとも一つのセンサ接続バスバーは、各センサの端子と直接接続するセンサ接続部を含み、前記バスバーホルダには、前記バスバーホルダを前記軸方向に貫通し、前記センサ接続部を前記軸方向の両側に露出させるための第２の露出孔が、前記センサ接続部に対応する位置に形成されていることを特徴とする。
【００１８】
請求項９記載の発明は、請求項６ないし請求項７のいずれかに記載のモータにおいて、前記複数のセンサ接続バスバーのうち少なくとも一つのセンサ接続バスバーは、各センサの端子と直接接続するセンサ接続部を含み、前記バスバーホルダには、前記センサ接続部を前記軸方向の一方に露出させるための開口孔が、前記センサ接続部に対応する位置に成されていることを特徴とする。
【００１９】
請求項１０記載の発明は、請求項６ないし請求項９のいずれかに記載のモータにおいて、前記複数のセンサ接続バスバーのうち少なくとも二つのセンサ接続バスバーは、前記軸方向に互いに重なる位置に配置されていることを特徴とする。
【００２０】
請求項１１記載の発明は、請求項６ないし請求項９のいずれかに記載のモータにおいて、前記複数のコイル接続バスバーのうち少なくとも一つのコイル接続バスバーと、前記複数のセンサ接続バスバーのうち少なくとも一つのセンサ接続バスバーとは、前記軸方向に互いに重なる位置に配置されていることを特徴とする。
【００２１】
請求項１２記載の発明は、請求項６ないし請求項１１のいずれかに記載のモータにおいて、前記バスバーユニットは、さらに、前記複数のセンサとは別の電子部品、を含み、前記別の電子部品は、前記バスバーホルダが前記ステータコアと対向する側と反対側に配置されていることを特徴とする。
【００２２】
請求項１３記載の発明は、請求項７に記載のモータにおいて、前記バスバーユニットは、さらに、前記バスバーホルダの前記径方向の外側に前記バスバーホルダと一体に形成され、前記導電線接続部と電気的に接続する第１のコネクタピンと、各センサの端子と電気的に接続する第２のコネクタピンとを含むコネクタ部、を含み、前記第１のコネクタピンは、前記複数のコイル接続バスバーのうちいずれか一つのコイル接続バスバーの端部であり、前記第２のコネクタピンは、前記バスバーホルダと一体成形されるセンサ接続バスバーの端部であることを特徴とする。
【００２３】
請求項１４記載の発明は、請求項１ないし請求項１３のいずれかに記載のモータであって、車両のトランスミッション、または車両のクラッチの駆動に用いられるモータであることを特徴とする。
【発明の効果】
【００２４】
回転軸を中心に回転するロータと、前記回転軸を中心とした円環状のコアバック部、および、前記コアバック部の内周面から径方向に突出した複数のティースを有するステータコアと、各ティースに導電線が巻き回されて形成された複数のコイルと、各コイルに駆動電流を供給するためのバスバーユニットと、を有し、前記バスバーユニットは、前記導電線の端部と接続する導電線接続部を含む複数のコイル接続バスバーと、前記複数のコイル接続バスバーを支持し、絶縁性材料で形成されたバスバーホルダと、を含み、前記バスバーホルダは、バスバーホルダ本体部と、前記バスバーホルダ本体部から径方向の外側に設けられたコネクタ部と、前記ロータと一体に回転するシャフトを回転自在に保持するベアリングを収納するベアリングホルダと、を備え、前記ベアリングホルダは、前記コネクタ部の少なくとも一部と径方向に重なっていることを特徴とするモータ。
【００２５】
また、バスバーホルダのステータコア側の面に複数のセンサホルダを配置している。これにより、センサがバスバーホルダに既に収納された状態でモータを組み立てることができるため、部品点数を削減し、モータを容易に組み立てることができる。
【００２６】
また、少なくとも一つのコイルバスバーと少なくとも一つのセンサ接続バスバーとが、軸方向に互いに重なるように配置されている。また、少なくとも二つのセンサ接続バスバーが、軸方向に互いに重なるように配置されている。これにより、バスバーユニットの径方向の寸法を抑えることができるため、モータを小型化することができる。
【発明を実施するための最良の形態】
【００２７】
以下、図面を参照しつつ本発明の一実施の形態について説明する。図１は、本実施の形態に係るブラシレスモータ１の側面断面図である。図１に示すブラシレスモータ１は、ハウジング１１と、ステータコア１２と、コイル１３と、シャフト１４と、ロータ１５と、センサマグネット１６と、バスバーユニット２０とを備える。ブラシレスモータ１は、たとえば、車両に搭載されるトランスミッションのギアセレクト、またはクラッチの駆動に用いられる。ブラシレスモータ１は、ＥＣＵなどの制御装置（図示省略）を介して、バッテリーなどの電源装置（図示省略）から供給される電流によって駆動する。
【００２８】
なお、ブラシレスモータ１は、搭載機器によって取り付け状態が異なり、様々な向きに配置される。したがって、ブラシレスモータ１には、絶対的な上下方向は存在しない。しかし、以下の説明において、便宜的に、図１の図面上の上下方向がブラシレスモータ１の上下方向であるとして説明する。
【００２９】
ハウジング１１は、ブラシレスモータ１の回転軸Ｊ１を中心とした円筒形であり、内周面にステータコア１２が固定されている。ステータコア１２は、回転軸Ｊ１を中心として環状に構成されたコアバック部１２ａと、コアバック部１２ａから回転軸Ｊ１に向って放射状に配置された複数のティース部１２ｂとを備えている。導電線１３０が各ティース部１２ｂに巻回されることによって、コイル１３が形成される。
【００３０】
また、ハウジング１１の上部とバスバーユニット２０の下部とにおいて、ボールベアリング１７Ａ、１７Ｂがそれぞれ保持されている。ハウジング１１が保持するボールベアリング１７Ａと、バスバーユニット２０が保持するボールベアリング１７Ｂとによって、回転軸Ｊ１を軸心とするシャフト１４を回転自在に保持している。
【００３１】
ロータ１５は、ロータマグネット１５１と、ロータコア１５２とを備えており、シャフト１４と一体に回転する。ロータマグネット１５１は、シャフト１４に固定されたロータコア１５２の外周面に固定される。センサマグネット１６は、ロータ１５の下側に配置され、シャフト１４に固定されたセンサヨーク１８によって保持されている。
【００３２】
バスバーユニット２０は、ステータコア１２の下側を覆うように配置される。バスバーユニット２０は、コイル１３に電流を供給するための配線装置である。また、バスバーユニット２０は、センサマグネット１６の径方向外側に対向するようにしてホールＩＣ６１、６２、６３（図２参照）を保持している。
【００３３】
上述した構成を有するブラシレスモータ１において、ロータマグネット１５１の回転位置に応じた電流が、電源装置から制御装置を介してコイル１３へ供給される。コイル１３が通電されることに伴って磁場が発生し、ロータマグネット１５１が回転する。このようにしてブラシレスモータ１は回転駆動力を得る。
【００３４】
｛バスバーユニット２０の概要｝
次に、バスバーユニット２０について説明する。図２は、バスバーユニット２０の上面図である。つまり、図２は、バスバーユニット２０をステータコア１２側から見た図である。図３は、バスバーユニット２０の底面図である。図４は、バスバーユニット２０を構成する各バスバーの配置を示す図である。
【００３５】
なお、図４において、バスバーホルダ２１などの表示を省略している。また、図４において、コイル接続バスバー３１、３２、３３が配置されている側が上側（ステータコア１２側）であり、センサ接続バスバー４５が配置されている側が下側である。
【００３６】
図２、図３および図４に示すように、バスバーユニット２０は、バスバーホルダ２１と、ホールＩＣ６１、６２、６３と、複数のバスバーと、複数の電子部品とから構成される。バスバーホルダ２１は、絶縁性材料で形成されており、平面視で略円形状のバスバーホルダ本体部２１１と、バスバーホルダ本体部２１１から径方向の外側に設けられたコネクタ部２１２とから構成されている。
【００３７】
図２に示すように、ホールＩＣ６１、６２、６３は、バスバーホルダ本体部２１１の上面部２３に配置され、センサマグネット１６の位置に応じたホール信号を出力する。ホールＩＣ６１は、電源入力用の電源端子６１ａと、接地用の接地端子６１ｂと、ホール信号を出力する出力端子６１ｃとを有する。同様に、ホールＩＣ６２は、電源端子６２ａと、接地端子６２ｂと、出力端子６２ｃとを有する。ホールＩＣ６３は、電源端子６３ａと、接地端子６３ｂと、出力端子６３ｃとを有する。
【００３８】
また、図４に示すように、バスバーユニット２０を構成するバスバーは、コイル接続バスバー３１、３２、３３、およびセンサ接続バスバー４１、４２、４３、４４、４５、４６、５１、５２、５３である。これらのコイル接続バスバー３１、３２、３３と、センサ接続バスバー４１、４２、４３、４４、４５、４６、５１、５２、５３とは、バスバーホルダ２１によって支持される。
【００３９】
コイル接続バスバー３１、３２、３３は、コイル１３に三相の電流を供給するための導電性部材である。センサ接続バスバー４１、４２、４３、４６、５１、５２、５３は、ホールＩＣ６１、６２、６３が出力するホール信号を制御装置に出力するために用いられる導電性部材である。センサ接続バスバー４４は、ホールＩＣ６１、６２、６３への電源の供給に用いられる導電性部材である。センサ接続バスバー４５は、ホールＩＣ６１、６２、６３の接地に用いられる導電性部材である。
【００４０】
また、図３に示すように、複数の電子部品として、抵抗７１１、７１２、７２１、７２２、７３１、７３２と、コンデンサ７１３、７２３、７３３とが、バスバーホルダ本体部２１１の底面部２２に配置される。これにより、コイル１３から発生する熱によって、抵抗７１１、７１２、７２１、７２２、７３１、７３２、およびコンデンサ７１３、７２３、７３３の特性が変化することを抑制できる。
【００４１】
センサ接続バスバー４１、４２、４３、４４、４５、４６、５１、５２、５３と、抵抗７１１、７１２、７２１、７２２、７３１、７３２と、コンデンサ７１３、７２３、７３３とは、ホールＩＣ回路６０（後で説明する図１６参照）を構成する。ホールＩＣ回路６０は、各ホールＩＣへ電源を供給し、各ホールＩＣが出力するホール信号を制御装置に出力する回路である。ホールＩＣ回路６０は、バスバーユニット２０に配置されるホールＩＣの数に対応して形成される。このように、バスバーホルダ本体部２１１にホールＩＣ回路を形成することによって、回路基板を配置する空間を設ける必要がないため、バスバーユニット２０を小型化することができる。
【００４２】
また、図４に示すように、コイル接続バスバー３１と、センサ接続バスバー４４、４５とが、軸方向に互いに重なるように配置されている。また、コイル接続バスバー３３と、センサ接続バスバー４４、４５とが、軸方向に互いに重なるように配置されている。これにより、バスバーユニット２０の径方向の寸法を小さくすることができる。
【００４３】
｛バスバーホルダ２１の構成｝
次に、バスバーホルダ２１について説明する。図５は、バスバーホルダ２１の上面図である。図６は、図５に示すバスバーホルダ２１の矢視Ａ−Ａ断面図である。図７は、図５に示す矢視Ｂ方向から見たバスバーホルダ２１の側面図である。
【００４４】
図５および図６に示すように、コイル接続バスバー３１、３２、３３と、センサ接続バスバー４１、４２、４３、４４、４５とは、一部がバスバーホルダ２１に埋め込まれている。バスバーホルダ２１と、コイル接続バスバー３１、３２、３３と、センサ接続バスバー４１、４２、４３、４４、４５とは、インサート成形により一体成形される。
【００４５】
バスバーホルダ本体部２１１には、回転軸Ｊ１を中心とした円形の中心孔２４１が形成されている。中心孔２４１には、シャフト１４が挿入される。バスバーホルダ本体部２１１の底面部２２には、中心孔２４１を囲むようにしてベアリングホルダ２４２が形成されている。ベアリングホルダ２４２は、バスバーホルダ本体部２１１の下側に開口した孔であり、ボールベアリング１７Ｂが収納される。
【００４６】
バスバーホルダ本体部２１１の上側には、開口孔２４３が形成されており、開口孔２４３の底面がバスバーホルダ本体部２１１の上面部２３となる。上面部２３には、ホールＩＣ６１、６２、６３を収納するセンサホルダ２４４、２４４、２４４が形成される。センサホルダ２４４、２４４、２４４は、センサマグネット１６に対して径方向外側に対向する位置に形成される。つまり、ホールＩＣ６１、６２、６３がセンサマグネット１６に対して径方向の外側に間隙を介して対向する位置に配置される。このため、バスバーユニット２０の軸方向の寸法を抑制することができる。
【００４７】
また、図５に示すように、バスバーホルダ本体部２１１には、中心孔２４１の他に、底面部２２と上面部２３とを軸方向に貫通する孔が複数形成されている。つまり、バスバーホルダ本体部２１１には、貫通孔２５１、２５２、２５３、２６１、２６２、２６３、２７２、２７３、２８１、２８２、２８３、２８４、２８５、２８６、２８７が形成されている。
【００４８】
貫通孔２５１、２５２、２５３は、センサホルダ２４４、２４４、２４４の径方向外側に形成される。貫通孔２６１は、貫通孔２５１と貫通孔２５３との間に形成され、貫通孔２６２は、貫通孔２５１と貫通孔２５２との間に形成され、貫通孔２６３は、貫通孔２５２と貫通孔２５３との間に形成される。貫通孔２７２は、貫通孔２５２と貫通孔２６２との間に形成され、貫通孔２７３が、貫通孔２５３と貫通孔２６１との間に形成される。貫通孔２８１、２８２、２８３、２８４、２８５、２８６、２８７は、バスバーホルダ本体部２１１の外周に沿って形成される。
【００４９】
図６および図７に示すように、コネクタ部２１２は、径方向外側が開口した筒型の形状である。コネクタ部２１２において、コイル接続バスバー３１、３２、３３の端子部３１２、３２２、３３２と、センサ接続バスバー４１、４２、４３、４４、４５の端子部４１２、４２２、４３２、４４２、４５２とが、バスバーホルダ本体部２１１から、径方向外側に突出している。各端子部は、ブラシレスモータ１の外部に配置される制御装置に接続するためのコネクタピンとして機能する。このように、バスバーホルダ本体部２１１とコネクタ部２１２とを一体的に形成してバスバーホルダ２１を構成することにより、部品点数を削減することができる。
【００５０】
｛コイル接続バスバーの構成｝
以下、コイル接続バスバー３１、３２、３３について説明する。図８は、コイル接続バスバー３１、３２、３３の底面図である。つまり、図８は、図３に示すバスバーユニット２０の底面図から、コイル接続バスバー３１、３２、３３を抽出した図である。
【００５１】
コイル接続バスバー３１には、円弧状の基部３１１の径方向外側に端子部３１２が延設され、基部３１１の径方向内側に導電線接続部３１３と位置決め部３１４とが設けられる。コイル接続バスバー３２は、直線状の形状である。コイル接続バスバー３２には、基部３２１の径方向外側に端子部３２２が延設され、基部３２１の径方向内側に導電線接続部３２３が設けられる。コイル接続バスバー３３には、円弧状の基部３３１の径方向外側に端子部３３２が延設され、基部３３１の径方向内側に導電線接続部３３３と位置決め部３３４とが設けられる。基部３１１、３２１、３３１は、バスバーホルダ本体部２１１の内部に埋め込まれている。
【００５２】
図４に示すように、導電線接続部３１３、３２３、３３３は、基部３１１、３２１、３３１から径方向内側に延びた後、下側に屈曲している。導電線接続部３１３、３２３、３３３には、軸方向に沿って延びる溝が形成されている。また、図２、図３および図５に示すように、導電線接続部３１３、３２３、３３３は、貫通孔２６１、２６２、２６３の内周面から径方向内側にそれぞれ突出し、バスバーホルダ２１の軸方向の両側に露出している。導電線接続部３１３、３２３、３３３には、コイル１３を形成する二つの導電線１３０、１３０の各端部がそれぞれ接続される。これは、モータ１において、コイル１３がデルタ結線されているためである。
【００５３】
図９は、コイル接続バスバー３２の斜視図である。導電線接続部３２３は、Ｕ字状の形状を構成する側壁部３２３ａ、３２３ｂ、３２３ｃを有する。導電線接続部３１３は、導電線接続部３２３と同様に、側壁部３１３ａ、３１３ｂ、３１３ｃを有し、導電線接続部３３３は、側壁部３３３ａ、３３３ｂ、３３３ｃを有する。
【００５４】
また、位置決め部３１４、３３４は、軸方向に垂直な平板状である。位置決め部３１４、３３４の位置と、貫通孔２８１、２８２の位置が対応している。つまり、位置決め部３１４、３３４が、貫通孔２８１、２８２によって、バスバーホルダ２１の軸方向の両側に露出している。なお、コイル接続バスバー３２において、位置決め部３１４、３３４に対応する構成は、延設部３２４である。延設部３２４は、基部３２１から径方向内側に延びた部位であり、導電線接続部３２３を構成する。図６に示すように、延設部３２４は、貫通孔２６２においてバスバーホルダ２１の軸方向両側に露出している。位置決め部３１４、延設部３２４、位置決め部３３４は、インサート成形時にコイル接続バスバー３１、３２、３３の位置を固定するために用いられる。
【００５５】
また、コイル接続バスバー３２において、基部３２１の中心に貫通孔３２５が形成されている。図６に示すように、貫通孔３２５の位置は、貫通孔２８５の位置と対応している。貫通孔３２５は、インサート成形時にセンサ接続バスバー４３を固定するために用いられる。
【００５６】
｛センサ接続バスバーの構成｝
以下、センサ接続バスバー４１、４２、４３、４４、４５、４６、５１、５２、５３について説明する。なお、ここでは、バスバーホルダ本体部２１１の底面部２２に配置される抵抗７１１、７１２、７２１、７２２、７３１、７３２、およびコンデンサ７１３、７２３、７３３と、各センサ接続バスバーとの接続についても説明する。また、ホールＩＣ６１、６２、６３に対応して形成されるホールＩＣ回路６０についても説明する。
【００５７】
まず、センサ接続バスバー４１、４２、４３について説明する。図１０は、センサ接続バスバー４１、４２、４３の底面図である。つまり、図１０は、図３に示すバスバーユニット２０の底面図から、センサ接続バスバー４１、４２、４３を抽出した図である。
【００５８】
センサ接続バスバー４１は、端子部４１２と、電子部品接続部４１３とを有する。センサ接続バスバー４２は、端子部４２２と、電子部品接続部４２３とを有する。センサ接続バスバー４３は、端子部４３２と、電子部品接続部４３３とを有する。
【００５９】
端子部４１２、４２２、４３２は、電子部品接続部４１３、４２３、４３３から径方向外側に延設される。電子部品接続部４１３、４２３、４３３には、軸方向に垂直な平面部４１３ａ、４２３ａ、４３３ａから下側に盛り上がった突起部４１３ｂ、４２３ｂ、４３３ｂが形成されている。
【００６０】
電子部品接続部４１３、４２３、４３３は、図３に示すように、バスバーホルダ本体部２１１の底面部２２に配置され、バスバーホルダ２１の下側に露出している。また、電子部品接続部４１３、４２３、４３３の位置と、貫通孔２８３、２８４、２８５が形成される位置とが対応している。つまり、電子部品接続部４１３、４２３、４３３の一部が、バスバーホルダ２１の軸方向の上側に露出している。なお、図６に示すように、電子部品接続部４３３は、貫通孔２８５の位置と、コイル接続バスバー３２の貫通孔３２５の位置とが対応することによって、バスバーホルダ２１の軸方向の上側に露出している。電子部品接続部４１３、４２３、４３３は、インサート成形時にセンサ接続バスバー４１、４２、４３を固定するための位置決め部として用いられる。
【００６１】
電子部品接続部４１３は、抵抗７１２およびコンデンサ７１３と突起部４１３ｂで接続される。同様に、電子部品接続部４２３は、抵抗７２２およびコンデンサ７２３と突起部４２３ｂで接続される。電子部品接続部４３３は、センサ接続バスバー４６の電子部品接続部４６３と突起部４３３ｂで接続される。
【００６２】
次に、センサ接続バスバー４４について説明する。図１１は、センサ接続バスバー４４の斜視図である。
【００６３】
センサ接続バスバー４４は、バスバーホルダ本体部２１１の形状に合わせた円弧状の形状である。端子部４４２が、円弧部４４１から径方向外側に延設されている。
【００６４】
電子部品接続部４４３、４４４、４４５が、円弧部４４１の径方向内側、かつ下側に突設される。図３および図５に示すように、電子部品接続部４４３、４４４、４４５は、貫通孔２５１、２５２、２６１の内周面から径方向内側に突出し、バスバーホルダ２１の軸方向の両側に露出している。電子部品接続部４４３、４４４、４４５は、抵抗７１１、７２１、７３１と接続される。
【００６５】
センサ接続部４４６、４４７、４４８が、円弧部４４１の径方向内側、かつ上側に突設される。図２および図５に示すように、センサ接続部４４６、４４７、４４８は、貫通孔２５１、２５２、２５３の内周面から径方向内側に突出し、バスバーホルダ２１の軸方向の両側に露出している。センサ接続部４４６、４４７、４４８には、軸方向上側に盛り上がった突起部４４６ｂ、４４７ｂ、４４８ｂが形成される。突起部４４６ｂ、４４７ｂ、４４８ｂが、電源端子６１ａ、６２ａ、６３ａと接続される。
【００６６】
また、円弧部４４１の径方向内側に、軸方向に垂直な平板状の位置決め部４４９、４４９が設けられている。位置決め部４４９、４４９の位置は、貫通孔２８６、２８６（図２および図５参照）の位置と対応する。つまり、位置決め部４４９、４４９が、貫通孔２８６、２８６によって、バスバーホルダ２１の軸方向の両側に露出している。
【００６７】
次に、センサ接続バスバー４５について説明する。図１２は、センサ接続バスバー４５の斜視図である。
【００６８】
センサ接続バスバー４５は、バスバーホルダ本体部２１１の形状に合わせた円弧状の形状である。端子部４５２が、円弧部４５１から径方向外側に延設されている。
【００６９】
電子部品接続部４５３、４５４、４５５が、円弧部４５１の径方向内側、かつ下側に突設される。図３および図５に示すように、電子部品接続部４５３、４５４、４５５は、貫通孔２６２、２６２、２６３の内周面から突出し、バスバーホルダ２１の軸方向の両側に露出している。電子部品接続部４５３、４５４、４５５は、コンデンサ７１３、７２３、７３３と接続される。
【００７０】
センサ接続部４５６、４５７、４５８が、円弧部４５１の径方向内側、かつ上側に突設される。図２および図５に示すように、センサ接続部４５６、４５７、４５８は、貫通孔２５１、２５２、２５３の内周面から径方向内側に突出し、バスバーホルダ２１の軸方向の両側に露出している。センサ接続部４５６、４５７、４５８には、軸方向上側に盛り上がった突起部４５６ｂ、４５７ｂ、４５８ｂが形成される。突起部４５６ｂ、４５７ｂ、４５８ｂは、接地端子６１ｂ、６２ｂ、６３ｂと接続される。
【００７１】
また、円弧部４５１の径方向内側に、軸方向に垂直な平板状の位置決め部４５９、４５９、４５９が設けられている。位置決め部４５９、４５９、４５９の位置は、貫通孔２８７、２８７、２８７（図２および図５参照）の位置に対応する。つまり、位置決め部４５９、４５９、４５９は、貫通孔２８７、２８７、２８７によってバスバーホルダ２１の軸方向の両側に露出している。
【００７２】
次に、センサ接続バスバー５１、５２、５３について説明する。図１３は、センサ接続バスバー５１の斜視図である。図１４は、センサ接続バスバー５２の斜視図である。図１５は、センサ接続バスバー５３の斜視図である。
【００７３】
図１３に示すように、センサ接続バスバー５１は、電子部品接続部５１３と、センサ接続部５１６とを有する。電子部品接続部５１３は、貫通孔２５１（図５参照）に上側から挿入される。このため、電子部品接続部５１３の先端５１３ａは、底面部２２に突出し、抵抗７１１、７１２に接続される。センサ接続部５１６には、平面部５１６ａから上側に盛り上がった突起部５１６ｂが形成されている。突起部５１６ｂは、出力端子６１ｃに接続される。
【００７４】
同様に、図１４に示すセンサ接続バスバー５２において、電子部品接続部５２３は、貫通孔２７２（図５参照）に上側から挿入される。底面部２２側に突出した電子部品接続部５２３の先端５２３ａは、抵抗７２１、７２２に接続される。センサ接続部５２６には、平面部５２６ａから上側に盛り上がった突起部５２６ｂが形成されている。突起部５２６ｂは、出力端子６２ｃに接続される。
【００７５】
図１５に示すセンサ接続バスバー５３において、電子部品接続部５３３は、貫通孔２７３（図５参照）に上側から挿入される。底面部２２側に突出した電子部品接続部５３３の先端５３３ａは、抵抗７３１、７３２に接続される。センサ接続部５３６には、平面部５３６ａから上側に盛り上がった突起部５３６ｂが形成されている。突起部５３６ｂは、出力端子６３ｃに接続される。
【００７６】
次に、センサ接続バスバー４６について説明する。図３に示すように、センサ接続バスバー４６は円弧状の形状の導電性部材である。センサ接続バスバー４６は、中心孔２４１を挟んで反対側に位置するセンサ接続バスバー４３と、抵抗７３２およびコンデンサ７３３とを接続する延長ケーブルとして用いられる。センサ接続バスバー４６の一端は、電子部品接続部４６３であり、センサ接続バスバー４３に接続される。センサ接続バスバー４６の他端は、電子部品接続部４６４であり、貫通孔２５３においてバスバーホルダ２１の軸方向両側に露出している。電子部品接続部４６４は、抵抗７３２およびコンデンサ７３３と接続される。
【００７７】
なお、図４を用いて説明したように、コイル接続バスバー３１と、センサ接続バスバー４４、４５とは、軸方向に互いに重なる位置に配置されている。しかし、位置決め部３１４、４４９、４５９とは、軸方向に互いに重ならない位置に形成される。同様に、コイル接続バスバー３３と、センサ接続バスバー４４、４５とは、軸方向に互いに重なる位置に配置されている。しかし、位置決め部３３４、４４９、４５９とは、軸方向に互いに重ならない位置に形成される。
【００７８】
次に、ホールＩＣ６１、６２、６３に対して形成されるホールＩＣ回路６０の回路図を図１６に示す。図１６（ａ）は、ホールＩＣ６１に対応するホールＩＣ回路６０を示す図である。図１６（ｂ）は、ホールＩＣ６２に対応するホールＩＣ回路６０を示す図である。図１６（ｃ）は、ホールＩＣ６３に対応するホールＩＣ回路６０を示す図である。
【００７９】
図１６（ａ）、図１６（ｂ）および図１６（ｃ）に示すホールＩＣ回路６０は、基本的に同じ構成であることがわかる。センサ接続バスバー４４、４５は、各ホールＩＣに対応するホールＩＣ回路６０で共通に使用される。抵抗７１１、７２１、７３１は、ホールＩＣ６１、６２、６３のホール信号のハイレベルを生成するためのプルアップ抵抗である。
【００８０】
また、ホールＩＣ回路６０にはローパスフィルタが形成されている。ローパスフィルタは、図１６（ａ）では抵抗７１２とコンデンサ７１３とによって構成され、図１６（ｂ）では抵抗７２２とコンデンサ７２３とによって構成され、図１６（ｃ）では抵抗７３２とコンデンサ７３３とによって構成される。
【００８１】
このような構成のバスバーユニット２０が、ＥＣＵ等の制御装置（図示省略）を介して電源装置に接続される。具体的には、図７に示すように、端子部３１２、３２２、３３２、４１２、４２２、４３２、４４２、４５２が、それぞれリード線を介して制御装置に接続される。ここで、コイル接続バスバー３１、３２、３３は、Ｕ相、Ｖ相、Ｗ相のいずれかに対応している。これにより、ホールＩＣ６１、６２、６３から出力されるホール信号に応じた三相の電流が、コイル接続バスバー３１、３２、３３を介して各コイル１３に供給される。
【００８２】
｛バスバーユニット２０の組み立て｝
以下、バスバーユニット２０の組み立てについて説明する。まず、バスバーホルダ２１と、コイル接続バスバー３１、３２、３３と、センサ接続バスバー４１、４２、４３、４４、４５とがインサート成形により、一体成形される。
【００８３】
具体的には、バスバーホルダ２１の金型の内部に、コイル接続バスバー３１、３２、３３と、センサ接続バスバー４１、４２、４３、４４、４５とが、図４に示す状態に配置される。つまり、コイル接続バスバー３１、３２、３３は、位置決め部３１４、延設部３２４、位置決め部３３４に治具（図示省略）が軸方向の両側から当接することによって固定される。センサ接続バスバー４１、４２、４３は、電子部品接続部４１３、４２３、４３３に治具が軸方向の両側に当接することによって固定される。なお、電子部品接続部４３３に上側から当接する治具は、コイル接続バスバー３２に形成された貫通孔３２５（図９参照）を通って電子部品接続部４３３に当接する。センサ接続バスバー４４、４５は、位置決め部４４９、４５９に治具が軸方向の両側から当接することによって固定される。
【００８４】
その後、バスバーホルダ２１の金型に、樹脂材料が流し込まれる。樹脂材料が固まった後で、各バスバーを支持していた治具がバスバーホルダ２１から引き抜かれることによって、貫通孔２８１、２８２、２８３、２８４、２８５、２８６、２８７が形成される。このようにして、バスバーホルダ２１が形成される。
【００８５】
次に、センサ接続バスバー５１、５２、５３がバスバーホルダ２１に取り付けられる。具体的には、電子部品接続部５１３、５２３、５３３が、上面部２３側から貫通孔２５１、２７２、２７３に挿入される。また、上面部２３に形成された突起部２２５が、センサ接続バスバー５１、５２、５３の孔に挿入される。突起部２２５が加熱されて押しつぶされる熱溶着によって、センサ接続バスバー５１、５２、５３がバスバーホルダ２１に固定される。
【００８６】
次に、コイル１３を形成する導電線１３０、１３０の各端部が、ＴＩＧ（Ｔｕｎｇｓｔｅｎ  Ｉｎｅｒｔ  Ｇａｓ）溶接によって、導電線接続部３１３、３２３、３３３に接続される。
【００８７】
ここで、導電線接続部３２３と導電線１３０、１３０の各端部との溶接を例にして説明する。図１７は、導電線接続部３２３および導電線１３０、１３０の各端部の溶接前の状態を示す図である。図１８は、導電線接続部３２３および導電線１３０、１３０の各端部の溶接後の状態を示す図である。
【００８８】
図１７に示すように、導電線接続部３２３に導電線１３０、１３０がバスバーホルダ２１の上側から挿入された状態で、側壁部３２３ａ、３２３ｃが導電線１３０、１３０を囲むように折り曲げられる。これにより、側壁部３２３ａ、３２３ｂ、３２３ｃと導電線１３０、１３０の各端部とが接触する。
【００８９】
その後、ＴＩＧ溶接用のタングステン電極と、アース電極とが、バスバーホルダ２１の下側から貫通孔２６２に挿入される。タングステン電極は、導電線１３０、１３０の各端部の下側に位置する。アース電極は、延設部３２４に当接する。タングステン電極と導電線１３０、１３０の各端部との間にアークが発生することで、導電線１３０、１３０の各端部が溶融し、その次に側壁部３２３ａ、３２３ｂ、３２３ｃが溶融する。これにより、導電線接続部３２３と、導電線１３０、１３０の各端部とが溶接される。
【００９０】
この結果、導電線接続部３２３と、導電線１３０、１３０の各端部とは、図１８に示すような状態となる。導電線接続部３２３がバスバーホルダ２１の軸方向の両側に露出しているため、導電線１３０、１３０の挿入方向と、タングステン電極およびアース電極の挿入方向とを、反対にすることができる。したがって、導電線１３０、１３０と、タングステン電極７４およびアース電極７５とが、溶接時に接触することを防止できる。
【００９１】
また、側壁部３２３ａ、３２３ｃを内側に折り曲げることにより、導電線接続部３２３と導電線１３０、１３０との接触面積を抑えることができる。したがって、導電線接続部３２３を溶融させる面積を抑えることができるため、導電線接続部３２３と導電線１３０、１３０の各端部との溶接を容易に行うことができる。同様に、導電線接続部３１３、３３３と導電線１３０、１３０の各端部とがＴＩＧ溶接によって接続される。
【００９２】
なお、導電線接続部３２３と、導電線１３０、１３０の各端部とを抵抗溶接によって接続してもよい。たとえば、抵抗溶接用の二つの電極を、側壁部３２３ａと導電線１３０の端部とにそれぞれ当接させることによって、側壁部３２３ａと導電線１３０の端部とを溶接することができる。側壁部３２３ｂ、３２３ｃと導電線１３０の端部とを抵抗溶接する場合も同様である。
【００９３】
次に、センサホルダ２４４、２４４、２４４にホールＩＣ６１、６２、６３を配置する。各センサ接続部の突起部とホールＩＣの端子とが、抵抗溶接によって接続される。図１９は、センサ接続部４５８と接地端子６３ｂとの溶接時の電極７４、７５の配置を示す図である。なお、図１９は、図６に示す領域Ｃに対応する図である。図１９に示すように、電極７４が下側から貫通孔２５３を通って突起部４５８ｂに当接し、電極７５が上側から貫通孔２５３を通って接地端子６３ｂに当接する。突起部４５８ｂと接地端子６３ｂとの間に電流が流れることによって、突起部４５８ｂと接地端子６３ｂとが溶接される。同様に、各センサ接続部とホールＩＣの端子とが溶接される。なお、各センサ接続部とホールＩＣとの溶接に、抵抗溶接ではなく、ＴＩＧ溶接を用いてもよい。
【００９４】
このように、センサ接続部４５８がバスバーホルダ２１の軸方向の両側に露出しているため、電極７４の挿入方向と電極７５の挿入方向とを反対にすることができる。つまり、センサ接続部４５８と接続端子６３ｂとを介した電極７４と電極７５との距離を短くすることができるため、溶接時の電流経路を短くすることができる。また、センサ接続部４５８に突起部４５８ｂを設けることによって、センサ接続部４５８と接地端子６３ｂとの接触面積を抑えることができる。したがって、溶接作業を効率よく行うことができる。
【００９５】
次に、センサ接続バスバー４６と、抵抗７１１、７１２、７２１、７２２、７３１、７３２と、コンデンサ７１３、７２３、７３３とをバスバーホルダ本体部２１１の底面部２２に配置する。その後、電子部品接続部と、抵抗およびコンデンサとが、抵抗溶接によって接続される。このようにして、バスバーユニット２０が組み立てられる。
【００９６】
図２０は、電子部品接続部４１３およびコンデンサ７１３の端部の溶接前の状態を示す図である。なお、図２０は、電子部品接続部４１３の径方向の断面図であり、図６に示す領域Ｄに対応する。図２０に示すように、コンデンサ７１３の端部および電子部品接続部４１３には、下側から電極７４、７５が当接する。コンデンサ７１３の端部と電子部品接続部４１３との間に電流が流れることによって、コンデンサ７１３の端部と、電子部品接続部４１３の突起部４１３ｂとが溶接される。このように、電子部品接続部４１３に突起部４１３ｂを設けることによって、電子部品接続部４１３とコンデンサ７１３の端部との接触面積を抑えることができる。したがって、効率的な溶接作業が可能となる。同様に、電子部品接続部４１３と抵抗７１２とが溶接される。また、電子部品接続部４２３と、抵抗７２２およびコンデンサ７２３とが溶接される。電子部品接続部４３３と電子部品接続部４６３とが溶接される。
【００９７】
また、上述したように、電子部品接続部４４３、４４４、４４５、４５３、４５４、４５５、４６４は、バスバーホルダ２１の軸方向の両側に露出している。そのため、これら電子部品接続部４４３、４４４、４４５、４５３、４５４、４５５、４６４と、抵抗またはコンデンサとの溶接は、センサ接続部４５８と接地端子６３ｂとの溶接と同様にして行われる。したがって、電子部品接続部と電子部品とを介した電極７４と電極７５との距離を短くすることができるため、溶接作業を効率よく行うことができる。なお、各センサ接続部とホールＩＣとの溶接に、抵抗溶接ではなく、ＴＩＧ溶接を用いてもよい。
【００９８】
以上説明したように、本実施の形態に係るブラシレスモータ１において、バスバーホルダ２１には、ボールベアリング１７Ｂ、ホールＩＣ６１、６２、６３が収納されるとともに、コネクタ部２１２、ホールＩＣ回路６０が形成される。このように、バスバーユニット２０に様々な機能を集約することによって、ブラシレスモータ１を組み立てる際の部品点数を削減することができ、容易にブラシレスモータ１を組み立てることができる。
【００９９】
また、コイル接続バスバー３１と、センサ接続バスバー４４、４５とを軸方向に互いに重ね、コイル接続バスバー３３と、センサ接続バスバー４４、４５とを軸方向に互いに重ねるように配置している。これにより、バスバーユニット２０の径方向の寸法を抑えることができるため、ブラシレスモータ１を小型化することができる。
【０１００】
また、コイル接続バスバー３１、３２、３３の導電線接続部３１３、３２３、３３３は、バスバーホルダ２１の軸方向の両側に露出している。このため、導電線接続部と導電線の端部との溶接時において、効率的な溶接作業が可能となる。また、センサ接続バスバー４４、４５、４６の電子部品接続部およびセンサ接続部と、センサ接続バスバー５１、５２、５３のセンサ接続部は、バスバーホルダ２１の軸方向の両側に露出している。これにより、センサ接続部とホールＩＣの端子との溶接時、および電子部品接続部と抵抗またはコンデンサとの溶接時において、効率的な溶接作業が可能となる。
【０１０１】
なお、本実施の形態において、コイル接続バスバー３１、３３に設けられる位置決め部３１４、３３４の数が一つである例について説明したが、これに限られない。コイル接続バスバー３１、３３の形状、大きさに応じて、位置決め部３１４、３３４の数を変更してもよい。また、コイル接続バスバー３２に位置決め部を設けてもよい。
【０１０２】
同様に、センサ接続バスバー４４、４５において、位置決め部４４９、４５９の数を、センサ接続バスバー４４、４５の形状および大きさなどに応じて変更してもよい。また、センサ接続バスバー４１、４２、４３に位置決め部を設けてもよい。
【０１０３】
また、本実施の形態において、センサ接続部４４６、４４７、４４８、４５６、４５７、４５８がバスバーホルダ２１の軸方向の両側に露出している例について説明したが、これに限られない。センサ接続部４４６、４４７、４４８、４５６、４５７、４５８の位置に、軸方向の一方に開口した孔を形成することによって、センサ接続部４４６、４４７、４４８、４５６、４５７、４５８が軸方向の一方に露出してもよい。同様に、電子部品接続部４４３、４４４、４４５、４５３、４５４、４５５、４６３、４６４が、軸方向の一方に露出してもよい。
【０１０４】
また、本実施の形態においては、Ｕ相、Ｖ相およびＷ相のいずれかに対応するコイル接続バスバーが三本である場合を説明したが、これに限られない。しかし、ブラシレスモータの相数、スロット数に応じて、コイル１３の数も変わるため、それに応じて本実施の形態に係るコイル接続バスバー、あるいは導電線接続部の数を変更してもよい。
【図面の簡単な説明】
【０１０５】
【図１】本発明の一実施の形態に係るモータの断面図である。
【図２】バスバーユニットの上面図である。
【図３】バスバーユニットの底面図である。
【図４】バスバーユニットを構成する各バスバーの配置を示す図である。
【図５】バスバーホルダの上面図である。
【図６】図５に示すバスバーホルダの矢視Ａ−Ａ断面図である。
【図７】図５に示す矢視Ｂ方向から見たバスバーホルダの側面図である。
【図８】コイル接続バスバーの底面図である。
【図９】コイル接続バスバーの斜視図である。
【図１０】センサ接続バスバーの底面図である。
【図１１】ホールＩＣに電源を供給するセンサ接続バスバーの斜視図である。
【図１２】ホールＩＣを接地するセンサ接続バスバーの斜視図である。
【図１３】ホールＩＣの出力端子に接続されるセンサ接続バスバーの斜視図である。
【図１４】ホールＩＣの出力端子に接続されるセンサ接続バスバーの斜視図である。
【図１５】ホールＩＣの出力端子に接続されるセンサ接続バスバーの斜視図である。
【図１６】各ホールＩＣに対応するホールＩＣ回路を示す図である。
【図１７】導電線接続部および導電線の端部の溶接前の状態を示す図である。
【図１８】導電線接続部および導電線の端部の溶接後の状態を示す図である。
【図１９】ホールＩＣの端子およびセンサ接続部の溶接前の状態を示す図である。
【図２０】コンデンサの端部および電子部品接続部の溶接前の状態を示す図である。
【符号の説明】
【０１０６】
１  ブラシレスモータ
１２  ステータコア
１２ａ  コアバック部
１２ｂ  ティース部
１３  コイル
２０  バスバーユニット
２１  バスバーホルダ
３１、３２、３３  コイル接続バスバー
４１、４２、４３、４４、４５、４６、５１、５２、５３  センサ接続バスバー
６１、６２、６３  ホールＩＣ
２４２  ベアリングホルダ
２４４  センサホルダ
２５１、２５２、２５３、２６１、２６２、２６３、２８１、２８２、２８３、２８４、２８５、２８６、２８７  貫通孔
３１２、３２２、３３２、４１２、４２２、４３２、４４２、４５２  端子部
３１３、３２３、３３３  導電線接続部
３１４、３３４、４４９、４５９  位置決め部
３２４  延設部
４４３、４４４、４４５、４５３、４５４、４５５、４６３、４６４、５１３、５２３、５３３  電子部品接続部
４４６、４４７、４４８、４５６、４５７、４５８、５１６、５２６、５３６  センサ接続部
７１１、７１２、７２１、７２２、７３１、７３２  抵抗
７１３、７２３、７３３  コンデンサ
【図１】
0005239413.tif 000002
【図２】
0005239413.tif 000003
【図３】
0005239413.tif 000004
【図４】
0005239413.tif 000005
【図５】
0005239413.tif 000006
【図６】
0005239413.tif 000007
【図７】
0005239413.tif 000008
【図８】
0005239413.tif 000009
【図９】
0005239413.tif 000010
【図１０】
0005239413.tif 000011
【図１１】
0005239413.tif 000012
【図１２】
0005239413.tif 000013
【図１３】
0005239413.tif 000014
【図１４】
0005239413.tif 000015
【図１５】
0005239413.tif 000016
【図１６】
0005239413.tif 000017
【図１７】
0005239413.tif 000018
【図１８】
0005239413.tif 000019
【図１９】
0005239413.tif 000020
【図２０】
0005239413.tif 000021